【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
移動局装置が、複数の上りリンクコンポーネントキャリアと複数の下りリンクコンポーネントキャリアとを用いて基地局装置と通信する無線通信システムであって、
前記基地局装置は、
前記移動局装置がパスロスの測定に用いる１つまたは複数の下りリンクコンポーネントキャリアを示す情報を前記移動局装置に送信し、
前記移動局装置は、
受信した前記情報に応じて、前記パスロスの測定に用いる１つまたは複数の下りリンクコンポーネントキャリアを設定し、
少なくとも１つの前記パスロスの測定に用いる下りリンクコンポーネントキャリアのパスロスが、所定の値以上変化した際に、電力余力の報告をトリガーし、
初期送信のための上りリンク無線リソースを割り当てられ、および前記電力余力の報告がトリガーされている際に、全ての前記複数の上りリンクコンポーネントキャリアそれぞれに対する電力余力値を算出および送信することを特徴とする無線通信システム。
【請求項２】
複数の上りリンクコンポーネントキャリアと複数の下りリンクコンポーネントキャリアとを用いて基地局装置と通信する移動局装置であって、
前記基地局装置から、パスロスの測定に用いる１つまたは複数の下りリンクコンポーネントキャリアを示す情報を受信し、
前記情報に応じて、前記パスロスの測定に用いる１つまたは複数の下りリンクコンポーネントキャリアを設定し、
少なくとも１つの前記設定した下りリンクコンポーネントキャリアのパスロスが、所定の値以上変化した際に、電力余力の報告をトリガーし、
初期送信のための上りリンク無線リソースを割り当てられ、および前記電力余力の報告がトリガーされている際に、全ての前記複数の上りリンクコンポーネントキャリアそれぞれに対する電力余力値を算出および送信することを特徴とする移動局装置。
【請求項３】
１つの第１のタイマーに関する情報を前記基地局装置から受信し、
前記情報に応じて、１つの第１のタイマーを設定し、
前記第１のタイマーが終了しているときのみ、前記電力余力の報告のトリガーが可能であることを特徴とする請求項２記載の移動局装置。
【請求項４】
前記複数の上りリンクコンポーネントキャリアそれぞれに対する電力余力値を送信した際に、前記第１のタイマーをスタートまたは再スタートさせることを特徴とする請求項３記載の移動局装置。
【請求項５】
１つの第２のタイマーに関する情報を前記基地局装置から受信し、
前記情報に応じて、１つの第２のタイマーを設定し、
前記第２のタイマーが終了した際に、電力余力の報告をトリガーすることを特徴とする請求項２記載の移動局装置。
【請求項６】
前記複数の上りリンクコンポーネントキャリアそれぞれに対する電力余力値を送信した際に、前記第２のタイマーをスタートまたは再スタートすることを特徴とする請求項５記載の移動局装置。
【請求項７】
電力余力の報告機能の設定または再設定に関する情報を前記基地局装置から受信し、
前記情報に応じて、前記電力余力の報告機能に関して設定または再設定を行なった際に、電力余力の報告をトリガーすることを特徴とする請求項２記載の移動局装置。
【請求項８】
前記電力余力の報告機能の設定または再設定は、前記報告機能を不能にするために用いられるものではないことを特徴とする請求項７記載の移動局装置。
【請求項９】
前記パスロスの測定に用いる１つまたは複数の下りリンクコンポーネントキャリアは、前記移動局装置が最初にアクセスした下りリンクコンポーネントキャリアを含むことを特徴とする請求項２記載の移動局装置。
【請求項１０】
複数の上りリンクコンポーネントキャリアと複数の下りリンクコンポーネントキャリアとを用いて移動局装置と通信する基地局装置であって、
前記移動局装置がパスロスの測定に用いる１つまたは複数の下りリンクコンポーネントキャリアを示す情報を前記移動局装置に送信し、
少なくとも1つの前記パスロスの測定に用いる下りリンクコンポーネントキャリアのパスロスが所定の値以上変化した際に、前記移動局装置によって前記電力余力の報告がトリガーされ、初期送信のための上りリンク無線リソースを割り当てられ、および前記電力余力の報告がトリガーされている際に、前記移動局装置によって送信された全ての前記複数の上りリンクコンポーネントキャリアそれぞれに対する電力余力値を受信することを特徴とする基地局装置。
【請求項１１】
複数の上りリンクコンポーネントキャリアと複数の下りリンクコンポーネントキャリアとを用いて基地局装置と通信する移動局装置に用いられる無線通信方法であって、
前記基地局装置から、パスロスの測定に用いる１つまたは複数の下りリンクコンポーネントキャリアを示す情報を受信するステップと、
前記情報に応じて、前記パスロスの測定に用いる１つまたは複数の下りリンクコンポーネントキャリアを設定するステップと、
少なくとも１つの前記設定した下りリンクコンポーネントキャリアのパスロスが、所定の値以上変化した際に、電力余力の報告をトリガーするステップと、
初期送信のための上りリンク無線リソースを割り当てられ、および前記電力余力の報告がトリガーされている際に、全ての前記複数の上りリンクコンポーネントキャリアそれぞれに対する電力余力値を算出および送信するステップと、を含むことを特徴とする無線通信方法。
【請求項１２】
複数の上りリンクコンポーネントキャリアと複数の下りリンクコンポーネントキャリアとを用いて移動局装置と通信する基地局装置に用いられる無線通信方法であって、
前記移動局装置がパスロスの測定に用いる１つまたは複数の下りリンクコンポーネントキャリアを示す情報を前記移動局装置に送信するステップと、
少なくとも1つの前記パスロスの測定に用いる下りリンクコンポーネントキャリアのパスロスが所定の値以上変化した際に、前記移動局装置によって前記電力余力の報告がトリガーされ、初期送信のための上りリンク無線リソースを割り当てられ、および前記電力余力の報告がトリガーされている際に、前記移動局装置によって送信された全ての前記複数の上りリンクコンポーネントキャリアそれぞれに対する電力余力値を受信するステップと、を含むことを特徴とする無線通信方法。
【請求項１３】
複数の上りリンクコンポーネントキャリアと複数の下りリンクコンポーネントキャリアとを用いて基地局装置と通信する移動局装置に実装されることにより、前記移動局装置に複数の機能を発揮させる集積回路であって、
前記基地局装置から、パスロスの測定に用いる１つまたは複数の下りリンクコンポーネントキャリアを示す情報を受信する機能と、
前記情報に応じて、前記パスロスの測定に用いる１つまたは複数の下りリンクコンポーネントキャリアを設定する機能と、
少なくとも１つの前記設定した下りリンクコンポーネントキャリアのパスロスが、所定の値以上変化した際に、電力余力の報告をトリガーする機能と、
初期送信のための上りリンク無線リソースを割り当てられ、および前記電力余力の報告がトリガーされている際に、全ての前記複数の上りリンクコンポーネントキャリアそれぞれに対する電力余力値を算出および送信する機能と、を前記移動局装置に発揮させることを特徴とする集積回路。
【請求項１４】
複数の上りリンクコンポーネントキャリアと複数の下りリンクコンポーネントキャリアとを用いて移動局装置と通信する基地局装置に実装されることにより、前記基地局装置に複数の機能を発揮させる集積回路であって、
前記移動局装置がパスロスの測定に用いる１つまたは複数の下りリンクコンポーネントキャリアを示す情報を前記移動局装置に送信する機能と、
少なくとも1つの前記パスロスの測定に用いる下りリンクコンポーネントキャリアのパスロスが所定の値以上変化した際に、前記移動局装置によって前記電力余力の報告がトリガーされ、初期送信のための上りリンク無線リソースを割り当てられ、および前記電力余力の報告がトリガーされている際に、前記移動局装置によって送信された全ての前記複数の上りリンクコンポーネントキャリアそれぞれに対する電力余力値を受信する機能と、を前記基地局装置に発揮させることを特徴とする集積回路。